(57)【要約】【課題】構成が簡単で、包装作業が容易に行え、かつ商品が見える包装容器を提供する。【解決手段】包装容器１Ａは、内側に商品が収納される凸状のメディア収納部２０Ａ及びメディア収納部２０Ａの周囲に形成される平板状の縁部２１を有した透明なブリスター２Ａと、シート状の第１面３０と第２面３１が３辺でつながると共に、ブリスター２Ａのメディア収納部２０Ａが入る窓部３３が第１面３０に形成された個装封筒３Ａを備える。封筒状の個装封筒３Ａの開口部３４からブリスター２Ａが挿入されると、メディア収納部２０Ａが個装封筒３Ａの窓部３３に嵌ると共に、ブリスター２Ａの縁部２１が個装封筒３Ａに挟まれて、ブリスター２Ａが個装封筒３Ａに保持される。【選択図】        図１
2009001301.tif 000002
【特許請求の範囲】
【請求項１】
内側に商品が収納される凸状の収納部及び前記収納部の周囲に形成される平板状の縁部を有し、前記収納部に収納された前記商品が目視可能な透明の商品収納部材と、
シート状の第１面と第２面が、少なくとも一の辺及び前記一の辺の対辺でつながると共に、前記商品収納部材の前記収納部が入る形状で開口した窓部が前記第１面に形成され、前記第１面と前記第２面との間に前記商品収納部材の前記収納部が通る隙間が形成される形状と、前記第１面と前記第２面との間に前記商品収納部材の前記縁部を挟む形状に変形する外包装体とを備え、
前記外包装体の他の辺に形成された前記第１面と前記第２面との開口部から前記商品収納部材が挿入されて、前記商品収納部材の前記収納部が前記外包装体の前記窓部に嵌められると共に、前記商品収納部材の前記縁部が前記外包装体の前記第１面と前記第２面の間に挟まれて、前記商品収納部材が前記外包装体に保持される
ことを特徴とする包装容器。
【請求項２】
前記商品収納部材は、前記外包装体への挿入及び取り出し方向に沿った前記縁部の一の辺及び前記一の辺の対辺に折り曲げ部が形成され、前記収納部の凸方向と反対側に折り曲げられて、紙葉状の付属品を保持する保持片部を備えた
ことを特徴とする請求項１記載の包装容器。
【請求項３】
前記外包装体は、前記窓部に突出する爪部を備え、
前記商品収納部材は、前記収納部が前記外包装体の前記窓部に挿入されると、前記窓部の前記爪部が嵌る抜け止め部を、前記収納部の側面に備えた
ことを特徴とする請求項１記載の包装容器。
【請求項４】
前記抜け止め部は、前記収納部の内側に突出して、前記商品を前記収納部に保持する
ことを特徴とする請求項３記載の包装容器。
【発明の詳細な説明】
【技術分野】
【０００１】
本発明は、商品を目視可能に収納する包装容器に関する。詳しくは、商品が収納される凸状の収納部及び収納部の周囲に平板状の縁部を有した透明な商品収納部材を、シート状の部材を少なくとも対向する２辺でつなげて封筒状に形成された外包装体に挿入することで、商品が収納された商品収納部材の収納部が外包装体の窓部に嵌ると共に、商品収納部材の縁部が外包装体で挟まれるようにして、簡単な作業で、商品収納部材を外包装体に取り付けられるようにしたものである。
【背景技術】
【０００２】
図１３は、従来の包装容器の一例を示す構成図である。図１３（ａ）は、窓部の無い紙箱１００Ａを組み立てて、中にＩＣ記録メディア等の商品を入れた包装容器である。図１３（ａ）の構成では、部品点数が少なく、一般的な方法であるが、中身の見えない構造のため、商品の欠品や類似品の混入等の検査性が悪い。また、店舗に陳列した際に、商品が見えないので、顧客の購買意欲を向上させにくい。
【０００３】
図１３（ｂ）は、窓部１０１を設けた紙箱１００Ｂを組み立てて、中枠に商品を収納するブリスターを使用した包装容器である。図１３（ｂ）の構成では、商品が見える構造であるものの、部品点数が多くなり、組み立て工数も多く掛かる。
【０００４】
図１３（ｃ）は、プラスチック製のブリスターパック１００Ｃに商品を収納した包装容器である。図１３（ｃ）の構成では、商品が見える構造であるものの、プラスチックの使用量が多くなる。また、商品の包装工程でブリスターパックの溶着設備を必要とするため、生産量が設備の能力で決まってしまい、生産量の変動に対して柔軟に対応できず、増産への変動に弱い。
【０００５】
図１３（ｄ）は、商品を収納したブリスター１００Ｄを、台紙１０２に貼り付けた包装容器である。図１３（ｄ）の構成では、糊引きした台紙にブリスターを貼り付ける圧着設備が必要であり、生産量の変動に対して柔軟に対応できず、増産への変動に弱い。
【０００６】
図１３（ｅ）は、商品を収納したブリスター１００Ｅを、台紙１０３で挟み込んだ包装容器である（例えば、特許文献１参照）。図１３（ｅ）の構成でも、ブリスターを挟み込んだ後に、糊引きした台紙同士を熱圧着する圧着設備が必要であり、生産量の変動に対して柔軟に対応できず、増産への変動に弱い。
【０００７】
図１３（ｆ）は、ブリスターパック１００Ｆの３辺を折り曲げて台紙１０４のガイド部１０５を構成し、ブリスターパック１００Ｆの裏面に台紙１０４を取り付けた包装容器である。図１３（ｆ）の構成では、ブリスターパックにプレス等による曲げ加工が必要で有るので工数が増え、多ロット向きではなく、コストも高くなる。
【０００８】
【特許文献１】特開平９−２２６８３０号公報
【発明の開示】
【発明が解決しようとする課題】
【０００９】
従来の包装容器では、商品が見える構成とすると、商品の包装作業が容易に行なえず、また、構成が複雑であるという問題があった。
【００１０】
本発明は、このような課題を解決するためになされたもので、構成が簡単で、包装作業が容易に行え、かつ商品が見える包装容器を提供することを目的とする。
【課題を解決するための手段】
【００１１】
上述した課題を解決するため、本発明の包装容器は、内側に商品が収納される凸状の収納部及び収納部の周囲に形成される平板状の縁部を有し、収納部に収納された商品が目視可能な透明の商品収納部材と、シート状の第１面と第２面が、少なくとも一の辺及び一の辺の対辺でつながると共に、商品収納部材の収納部が入る形状で開口した窓部が第１面に形成され、第１面と第２面との間に商品収納部材の収納部が通る隙間が形成される形状と、第１面と第２面との間に商品収納部材の縁部を挟む形状に変形する外包装体とを備え、外包装体の他の辺に形成された第１面と第２面との開口部から商品収納部材が挿入されて、商品収納部材の収納部が外包装体の窓部に嵌められると共に、商品収納部材の縁部が外包装体の第１面と第２面の間に挟まれて、商品収納部材が外包装体に保持されることを特徴とする。
【００１２】
本発明の包装容器では、封筒状に形成された外包装体の第１面と第２面との間に開口部から商品収納部材を挿入したときに、商品収納部材において凸状となっている収納部が通ることができる隙間が、外包装体の変形によって第１面と第２面との間に形成される。
【００１３】
これにより、収納部に商品が収納された商品収納部材が、外包装体の開口部から挿入されると、商品収納部材の収納部が、外包装体の変形によって第１面と第２面との間に形成される隙間を通り、外包装体の窓部に嵌められる。
【００１４】
商品収納部材の収納部が外包装体の窓部に嵌ると、外包装体の変形が戻ることによって、外包装体の第１面と第２面との間に商品収納部材の縁部が挟まれる。これにより、収納部に商品が収納された商品収納部材が外包装体に保持され、商品は、外包装体の窓部から目視が可能となる。
【発明の効果】
【００１５】
本発明の包装容器によれば、封筒状の外包装体の開口部から商品収納部材を挿入すると、商品収納部材において凸状となっている収納部を外包装体の窓部に嵌めて、収納部に商品が収納された商品収納部材を外包装体に保持することができ、包装作業が容易に行なえる。
【００１６】
また、外包装体の開口部から商品収納部材を挿入すると、商品収納部材の縁部が外包装体で挟まれることで、簡単な構成で、商品収納部材を外包装体に保持することができる。
【００１７】
そして、商品は、外包装体の窓部から目視が可能となる。
【発明を実施するための最良の形態】
【００１８】
ＩＣ（Integrated Circuit）記録メディア等、小型で大量に生産され、低コスト化が求められ、かつ、競合他社も多い商品では、陳列時に商品が見えることにより、顧客の購買意欲が駆り立てられ、また、欠品や異種混入に対しても明確である。
【００１９】
そこで、本発明では、構成が簡単で、包装作業が容易に行え、かつ商品が見える包装容器を提供するものであり、以下、図面を参照して、本発明の包装容器の実施の形態について説明する。
【００２０】
＜第１の実施の形態の包装容器の構成例＞
（１）包装容器の全体構成例
図１は、第１の実施の形態の包装容器の一例を示す構成図で、図１（ａ）は、第１の実施の形態の包装容器１Ａの組み立て途中の斜視図、図１（ｂ）は、包装容器１Ａの完成状態の斜視図である。
【００２１】
第１の実施の形態の包装容器１Ａは、商品の一例であるＩＣ記録メディアが収納されるブリスター２Ａと、ブリスター２Ａが収納される個装封筒３Ａを備える。
【００２２】
ブリスター２Ａは商品収納部材の一例で、透明なプラスチック材料で構成され、内側にＩＣ記憶メディアが収納される凸状のメディア収納部２０Ａと、メディア収納部２０Ａの周囲に形成される平板状の縁部２１を備える。
【００２３】
個装封筒３Ａは外包装体の一例で、シート状で四角形の第１面３０と第２面３１が、一の辺である折り曲げ部３２ａと、折り曲げ部３２ａの対辺である折り曲げ部３２ｂと、下辺である折り曲げ部３２ｃでつながって、マチのない封筒状に形成される。また、ブリスター２Ａのメディア収納部２０Ａが入る形状で開口した窓部３３が第１面３０に形成される。
【００２４】
包装容器１Ａは、メディア収納部２０ＡにＩＣ記録メディアが収納されたブリスター２Ａが、個装封筒３Ａの開口部３４から挿入されることで、ブリスター２Ａのメディア収納部２０Ａが個装封筒３Ａの窓部３３に嵌ると共に、ブリスター２Ａの縁部２１が個装封筒３Ａの第１面３０と第２面３１との間に挟まれる。
【００２５】
これにより、メディア収納部２０ＡにＩＣ記録メディアが収納されたブリスター２Ａが個装封筒３Ａに保持され、ＩＣ記録メディアは、個装封筒３Ａの窓部３３から目視が可能となる。
【００２６】
（２）ブリスターの構成例
図２は、ブリスターの一例を示す展開図、図３は、ブリスターの図２に示すＡ−Ａ断面図である。
【００２７】
ブリスター２Ａは、収納されるＩＣ記録メディアの外形に合わせて例えば直方体状に突出したメディア収納部２０Ａが、縁部２１と一体に形成され、メディア収納部２０Ａの対向する側面の一方である上面にアンダーカット２２ａが形成されると共に、メディア収納部２０Ａの対向する側面の他方である下面にアンダーカット２２ｂが形成される。
【００２８】
アンダーカット２２ａ及びアンダーカット２２ｂは抜け止め部の一例で、メディア収納部２０Ａの側面を、縁部２１との境界に沿って内側に突出させて形成され、メディア収納部２０Ａの内面には凸状で、外面には凹状となっている。
【００２９】
また、ブリスター２Ａは、破線状の切り込みが入れられたミシン目によって形成された折り曲げ部２３ａで折り曲げられる保持片部としてのフラップ２４ａを、縁部２１の一の辺である上辺に一体に備えると共に、同様のミシン目によって形成された折り曲げ部２３ｂで折り曲げられる保持片部としてのフラップ２４ｂを、縁部２１の上辺の対辺である下辺に一体に備える。
【００３０】
更に、ブリスター２Ａは、折り曲げ部２３ａの両端に、Ｖ字形状の切り欠き２５ａが形成され、フラップ２４ａが折り曲げ部２３ａで折り曲げられると、縁部２１の上辺の左右両端が、斜めに切り欠かれたテーパ状となる。
【００３１】
（３）個装封筒の構成例
図４は、個装封筒の一例を示す展開図である。個装封筒３Ａは、例えばコート紙等で構成され、四角形の第１面３０は、窓部３３及びフック穴３５ａが開けられ、第１面３０と同じ外形の第２面３１は、フック穴３５ａと重なる位置にフック穴３５ｂが開けられる。
【００３２】
第１面３０は、一方の側辺となる一の辺には、折り曲げ部３２ａで折り曲げられる貼りしろ３６ａが形成され、他方の側辺となる一の辺の対辺には、折り曲げ部３２ｂで折り曲げられる貼りしろ３６ｂが形成される。また、第１面３０の下辺には、折り曲げ部３２ｃで折り曲げられる第２面３１が形成される。
【００３３】
個装封筒３Ａは、窓部３３に爪部３７を備える。爪部３７は、個装封筒３Ａの第１面３０と一体に形成され、窓部３３の対向する位置の辺から、内側に向かって突出する。
【００３４】
図５は、個装封筒の組み立て工程を示す動作説明図である。個装封筒３Ａは、まず、図５（ａ）に示すように、貼りしろ３６ａを折り曲げ部３２ａで裏面側に折り曲げると共に、貼りしろ３６ｂを折り曲げ部３２ｂで裏面側に折り曲げる。
次に、図５（ｂ）に示すように、第１面３０の裏面側に現れた貼りしろ３６ａ及び貼りしろ３６ｂの表面に糊を塗布し、第２面３１を折り曲げ部３２ｃで裏面側に折り曲げて、第１面３０と第２面３１を両側部で貼り合わせる。
【００３５】
これにより、四角形の第１面３０と第２面３１の３辺が、折り曲げ部３２ａ，折り曲げ部３２ｂ及び折り曲げ部３２ｃでつながって、図５（ｃ）に示すように、マチのない封筒状に形成された個装封筒３Ａが完成する。
【００３６】
（４）包装容器の組み立て工程例
図６及び図７は、包装容器の組み立て工程を示す動作説明図である。まず、図６（ａ）に示すように、ブリスター２Ａのメディア収納部２０Ａに、ＩＣ記録メディア１０を収納する。ブリスター２Ａのメディア収納部２０ＡにＩＣ記録メディア１０が収納されると、メディア収納部２０Ａの内面に凸状となっているアンダーカット２２ａ，２２ｂにＩＣ記録メディア１０が押えられ、落下が防止される。
【００３７】
次に、図６（ｂ）に示すように、ブリスター２Ａの裏面に取り扱い説明書等の印刷物１１を装着し、図６（ｃ）に示すように、ブリスター２Ａのフラップ２４ａを折り曲げ部２３ａで裏面側に折り曲げると共に、フラップ２４ｂを折り曲げ部２３ｂで裏面側に折り曲げて、印刷物１１をフラップ２４ａ及びフラップ２４ｂの内側に収納する。
【００３８】
次に、上述したようにＩＣ記録メディア１０及び印刷物１１が収納されたブリスター２Ａを、図７（ａ）に示すように、個装封筒３Ａの開口部３４から挿入する。個装封筒３Ａの開口部３４からブリスター２Ａが挿入されると、ブリスター２Ａにおいて凸状となっているメディア収納部２０Ａが通ることができる隙間が、個装封筒３Ａの変形によって第１面３０と第２面３１との間に形成される。
【００３９】
これにより、ブリスター２Ａは、メディア収納部２０Ａが引っ掛かることなく、個装封筒３Ａの第１面３０と第２面３１との間の隙間を通される。
【００４０】
ブリスター２Ａが個装封筒３Ａ内の所定の位置に挿入されると、図７（ｂ）に示すように、窓部３３の爪部３７付近を矢印Ｆ方向に押し、図７（ｃ）に示すように、メディア収納部２０Ａに個装封筒３Ａの窓部３３を嵌める。
【００４１】
図８は、包装容器の図７（ｃ）に示すＢ−Ｂ断面図である。ブリスター２Ａのメディア収納部２０Ａが個装封筒３Ａの窓部３３に嵌ると、メディア収納部２０Ａの外面に凹状となっているアンダーカット２２ａ，２２ｂに、個装封筒３Ａの窓部３３に突出した爪部３７が嵌り、メディア収納部２０Ａが窓部３３から抜けることが防止される。
【００４２】
また、ブリスター２Ａのメディア収納部２０Ａが個装封筒３Ａの窓部３３に嵌ると、個装封筒３Ａの変形が戻ることによって、個装封筒３Ａの第１面３０と第２面３１との間にブリスター２１の縁部２１が挟まれる。
【００４３】
そして、図７（ｄ）に示すように、重ね合わされた第１面３０のフック穴３５ａと第２面のフック穴３５ｂの底辺部に封印シール３８を貼り付けて、個装封筒３Ａの開口部３４が封止される。
【００４４】
これにより、メディア収納部２０ＡにＩＣ記録メディア１０が収納されたブリスター２Ａが個装封筒３Ａに保持され、ＩＣ記録メディア１０は、個装封筒３Ａの窓部３３から目視が可能となる。
【００４５】
（５）ブリスターの挿入及び取り出し時の効果例
図９は、ブリスターの挿入及び取り出し時の動作説明図である。個装封筒３Ａに対するブリスター２Ａの挿入方向の先端となる縁部２１の下辺において、折り曲げ部２３ｂで折り曲げられたフラップ２４ｂの内側に印刷物１１を配置することで、ブリスター２Ａの挿入時の印刷物１１の保護が行われ、また、ブリスター２Ａと印刷物１１を一体化して作業性を向上させている。
【００４６】
個装封筒３Ａに対するブリスター２Ａの取り出し方向の先端となる縁部２１の上辺において、折り曲げ部２３ａで折り曲げられたフラップ２４ａの内側に印刷物１１を配置することで、個装封筒３Ａの開口部３４より、印刷物１１が飛び出すことが防止される。
【００４７】
また、ブリスター２Ａは、フラップ２４ａが折り曲げ部２３ａで折り曲げられると、縁部２１の上辺の左右両端が、切り欠き２５ａによって斜めに切り欠かれたテーパ状となるので、個装封筒３Ａからブリスター２Ａを取り出す際、個装封筒３Ａの内面とブリスター２Ａが引っ掛かることが防止される。
【００４８】
＜第１の実施の形態の包装容器の効果例＞
（１）本実施の形態の包装容器１Ａでは、個装封筒３Ａの窓部３３から突出したブリスター２Ａのメディア収納部２０ＡにＩＣ記録メディア１０等の商品が収納されることで、包装容器１Ａを開封することなく、商品を見ることができ、顧客の購買意欲を向上させることができる。
【００４９】
（２）本実施の形態の包装容器１Ａでは、商品が見えることで、包装作業後に商品の欠品や異種混入を容易に確認でき、検査工数を削減できる。また、商品が欠品した状態や異種混入した状態での流通を防ぐことができるので、顧客からのクレーム対策が容易になる。
【００５０】
（３）図１３（ｂ）に示すように、紙箱に窓を設け、中枠にブリスターを使った従来の包装容器では、箱の側面にマチがあるために、商品を見せる場合、裏側から前面へブリスターを支える構造が必要であった。これに対して、本実施の形態の包装容器１Ａでは、個装封筒３Ａにマチが無いために、構造上支えが不要である。
【００５１】
これにより、体積を減らすことができ、体積を減らすことで輸送効率を向上させることができる。また、構成が簡単で、コストダウンを図ることができる。更に、封筒状の個装封筒３Ａにブリスター２Ａを挿入することで、包装作業が行えるので、組立工数を少なくすることができ、作業性が向上する。
【００５２】
また、ＩＣ記録メディア１０の一連の包装作業を、手作業で行うことができるので、生産量の変動に対して柔軟に対応でき、増産への変動も容易に可能である。
【００５３】
（４）本実施の形態の包装容器１Ａでは、ブリスター２Ａのフラップ２４ａ及びフラップ２４ｂを折り返すことにより、中の印刷物１１が、個装封筒３Ａの開口部３４から飛び出すことを防止している。包装容器１Ａは、マチの無い構造のため、ブリスター２Ａを曲げる簡単な方法で、印刷物１１の飛び出しを防止できる。
【００５４】
（５）本実施の形態の包装容器１Ａでは、ブリスター２Ａのメディア収納部２０Ａに、ＩＣ記録メディア１０を保持するためのアンダーカット２２ａ及びアンダーカット２２ｂが設けられ、このアンダーカット２２ａ，２２ｂを利用して、個装封筒３Ａの窓部３３に設けた爪部３７を、ブリスター２Ａの外側からアンダーカット２２ａ，２２ｂの凹部に嵌め込んで、ブリスター２Ａと個装封筒３Ａを固定している。
【００５５】
このように、個装封筒３Ａの爪部３７をブリスター２Ａのアンダーカット２２ａ，２２ｂに固定することにより、ブリスター２Ａのメディア収納部２０Ａが、常に個装封筒３Ａの窓部３３から飛び出した状態に保つことができる。また、個装封筒３Ａの開口部３４から、ブリスター２Ａが飛び出すことを防止できる。
【００５６】
＜第１の実施の形態の包装容器の変形例＞
（１）複数のメディア収納部を設けた例
図１０は、第１の実施の形態の包装容器の変形例として、複数のメディア収納部を設けた包装容器の一例を示す斜視図である。
【００５７】
図１０（ａ）は、１個のメディア収納部２０Ａが設けられた包装容器１Ａの例である。１個のメディア収納部２０Ａを設ける例では、個装封筒３Ａには１個の窓部３３が形成される。
【００５８】
図１０（ｂ）は、２個のメディア収納部２０Ａが設けられた包装容器１Ａの例であり、個装封筒３Ａには、２個の窓部３３が形成される。図１０（ｃ）は、３個のメディア収納部２０Ａが設けられた包装容器１Ａの例であり、個装封筒３Ａには、３個の窓部３３が形成される。なお、４個以上のメディア収納部を設ける例でも良い。
【００５９】
ここで、複数のメディア収納部が設けられる構成では、メディア収納部に商品を保持するアンダーカット及びアンダーカットを利用したメディア収納部の個装封筒からの抜け止め防止構造については、全てのメディア収納部に設けても良いし、商品の大きさ等に応じて一部のメディア収納部に設けても良い。
【００６０】
（２）個装封筒の開口部に蓋を設けた例
図１１は、第１の実施の形態の包装容器の変形例として、個装封筒の開口部に蓋を設けた包装容器の一例を示す斜視図である。
【００６１】
個装封筒３Ｂは、第１面３０の上辺に、折り曲げ部３９ａで折り曲げられる蓋部４０が一体に形成される。蓋部４０は、折り曲げ部３９ｂで折り曲げられる差込片４１が先端に一体に形成されると共に、折り曲げ部３９ａと折り曲げ部３９ｂの間に折り曲げ部３９ｃが形成される。
【００６２】
また、個装封筒３Ｂは、蓋部４０の差込片４１が差し込まれるスリット４２が第２面３１に形成される。
【００６３】
個装封筒３Ｂの開口部３４を蓋部４０で塞ぐ動作について説明すると、ＩＣ記録メディア等の商品と、取扱説明書等の印刷物が収納されたブリスターが開口部３４から挿入された個装封筒３Ｂは、個装封筒３Ｂの蓋部４０を折り曲げ部３９ａで裏面側に折り曲げると共に、蓋部４０の折り曲げ部３９ｂ及び折り曲げ部３９ｃを折り曲げて、蓋部４０の差込片４１を、個装封筒３Ｂの裏面側のスリット４２に挿入する。
【００６４】
これにより、個装封筒３Ｂの開口部３４が蓋部４０で塞がれる。なお、蓋部４０は、スリット４２に差し込まれた差込片４１と、スリット４２との境界部等に図示しない封印シールを貼り付けて、シールを開封しないと、蓋部４０が開けられないようにすると良い。
【００６５】
（３）メディア収納部にメディア押さえを設けた例
図１２は、第１の実施の形態の包装容器の変形例として、メディア押さえを設けたブリスターの一例を示す斜視図である。
【００６６】
ブリスター２Ｂは、凸状のメディア収納部２０Ｂと、破線状の切り込みが入れられたミシン目によって形成された折り曲げ部４３ａで折り曲げられるメディア押さえ４３を備える。メディア押さえ４３は、折り曲げ部４３ａで折り曲げられると、メディア収納部２０Ｂに嵌る位置に押さえ凸部４３ｂが形成される。また、縁部２１に形成されたスリット４４に差し込まれる差込片４３ｃが形成される。
【００６７】
ブリスター２Ｂに商品を収納する動作について説明すると、メディア収納部２０ＢにＩＣ記録メディア等の商品を収納した後、メディア押さえ４３を折り曲げ部４３ａで裏面側に折り曲げると共に、差込片４３ｃをスリット４４に差し込む。
【００６８】
メディア押さえ４３が折り曲げ部４３ａで折り曲げられると、押さえ凸部４３ｂがメディア収納部２０Ｂに嵌り、差込片４３ｃがスリット４４に差し込まれることで、図示しない商品がメディア収納部２０Ｂと押さえ凸部４３ｂの間に挟まれて保持される。
【００６９】
これにより、収納対象の商品が小型で、ブリスターのメディア収納部にアンダーカットを形成できないような場合でも、商品をブリスターに保持できる。
【産業上の利用可能性】
【００７０】
本発明は、ＩＣ記録メディア等の小型の商品用の包装用パッケージに適用される。
【図面の簡単な説明】
【００７１】
【図１】第１の実施の形態の包装容器の一例を示す構成図である。
【図２】ブリスターの一例を示す展開図である。
【図３】ブリスターの一例を示すＡ−Ａ断面図である。
【図４】個装封筒の一例を示す展開図である。
【図５】個装封筒の組み立て工程を示す動作説明図である。
【図６】包装容器の組み立て工程を示す動作説明図である。
【図７】包装容器の組み立て工程を示す動作説明図である。
【図８】包装容器のＢ−Ｂ断面図である。
【図９】ブリスターの挿入及び取り出し時の動作説明図である。
【図１０】複数のメディア収納部を設けた包装容器の一例を示す斜視図である。
【図１１】個装封筒の開口部に蓋を設けた包装容器の一例を示す斜視図である。
【図１２】メディア押さえを設けたブリスターの一例を示す斜視図である。
【図１３】従来の包装容器の一例を示す構成図である。
【符号の説明】
【００７２】
１Ａ・・・包装容器、２Ａ・・・ブリスター、２０Ａ・・・メディア収納部、２１・・・縁部、２２ａ，２２ｂ・・・アンダーカット、２３ａ，２３ｂ・・・折り曲げ部、２４ａ，２４ｂ・・・フラップ、２５ａ，２５ｂ・・・切り欠き、３Ａ・・・個装封筒、３０・・・第１面、３１・・・第２面、３２ａ，３２ｂ，３２ｃ・・・折り曲げ部、３３・・・窓部、３４・・・開口部、３５ａ，３５ｂ・・・フック穴、３６ａ，３６ｂ・・・貼りしろ、３７・・・爪部、３８・・・封印シール
【図１】
2009001301.tif 000003
【図２】
2009001301.tif 000004
【図３】
2009001301.tif 000005
【図４】
2009001301.tif 000006
【図５】
2009001301.tif 000007
【図６】
2009001301.tif 000008
【図７】
2009001301.tif 000009
【図８】
2009001301.tif 000010
【図９】
2009001301.tif 000011
【図１０】
2009001301.tif 000012
【図１１】
2009001301.tif 000013
【図１２】
2009001301.tif 000014
【図１３】
2009001301.tif 000015